(57)【要約】【課題】記録装置でＡＶ信号を記録する際に、ユーザーの意志に応じた適切な区切り設定（チャプター設定）が行われるようにする。【解決手段】  入力されたＡＶ信号を記録媒体に記録している際に、その記録されるＡＶ信号の区切り設定のモードとして、ユーザーの設定操作に応じたタイミングでチャプターを分割する第１のモード（マニュアルチャプタリングモード）と、一定時間毎にチャプターを分割する第２のモード（オートチャプタリングモード）を選択でき、第２のモードが選択されている場合は、ユーザーが区切り設定操作行ったとしても、区切り設定処理は行わないで、あくまで一定時間毎の区切り設定を保つようにする。【選択図】      図５
2006107676.tif 000002
【特許請求の範囲】
【請求項１】
ＡＶ信号を入力する入力手段と、
記録媒体に信号を記録する記録手段と、
少なくとも、区切り設定モードのモード選択操作、及び区切り設定操作が可能とされた操作手段と、
上記入力手段から入力されてくるＡＶ信号について、上記記録手段により上記記録媒体に記録させながら、上記操作手段のモード選択操作によって選択された区切り設定モードに応じて、記録されるＡＶ信号についての区切り設定を行うことができる制御手段と、
を備え、
上記制御手段は、
上記区切り設定モードが第１のモードとされているときは、上記記録媒体に記録されるＡＶ信号に対して、上記操作手段による区切り設定操作に応じたタイミングで区切り設定を行い、
上記区切り設定モードが第２のモードとされているときは、上記記録媒体に記録されるＡＶ信号に対して一定時間毎に区切り設定を行うとともに、上記操作手段による区切り設定操作に応じた区切り設定は行わないことを特徴とする記録装置。
【請求項２】
入力されるＡＶ信号を記録媒体に記録する記録ステップと、
区切り設定モードが第１のモードとされている場合において、上記記録ステップの実行中に、上記記録媒体に記録されるＡＶ信号に対して、区切り設定操作に応じたタイミングで区切り設定を行う第１の区切り設定ステップと、
区切り設定モードが第２のモードとされている場合において、上記記録ステップの実行中に、上記記録媒体に記録されるＡＶ信号に対して、一定時間毎に区切り設定を行うとともに、区切り設定操作があっても区切り設定を行なわない第２の区切り設定ステップと、
を備えたことを特徴とする記録方法。
【発明の詳細な説明】
【技術分野】
【０００１】
本発明はＡＶ信号、つまりオーディオ信号／ビデオ信号について記録媒体に記録する記録装置、記録方法に関するものである。
【背景技術】
【０００２】
【特許文献１】特開２００４−１０４２８５号公報
【特許文献２】特開２０００−１７３２５０号公報
【０００３】
光ディスク、光磁気ディスク、磁気ディスク、磁気テープ、固体メモリなどの各種記録媒体を用いて多様なＡＶ信号記録再生システムが存在している。
その中で、一般ユーザが簡易に映像記録を行う装置としては、磁気テープを記録媒体とするビデオカメラが普及しており、子供の成長記録、運動会や結婚式などのイベント、趣味の映像制作などで用いられている。
また近年では、光ディスクシステムとして、ＤＶＤ（Digital Versatile Disc）やブルーレイディスク（Blu-Ray Disc）など、映像記録に適した大容量のメディアも一般に提供されており、例えばパーソナルコンピュータやＡＶ機器を用いてＤＶＤ等からの映像再生を楽しむといった環境も一般化している。
【０００４】
そのような環境下においては、ビデオカメラで撮像して例えば磁気テープに記録した映像信号を、ＤＶＤ等の光ディスクにダビングし、ＤＶＤ再生システムで視聴したいといった要望も増え、このため、ビデオカメラ等で再生した映像信号を入力し、それをＤＶＤ等に記録していく装置も提供されている。
【０００５】
ところで、このように一般ユーザーが、自分で撮像した映像をＤＶＤ等のディスクに記録する場合、ディスクを用いた再生時の利便性を考えると、適切にチャプター等の区切りが付されることが重要となる。
例えばビデオカメラで撮像した１時間分の映像を、そのまま１単位の映像としてディスクに記録してしまうと、ディスク再生時に見たいシーンを探すことが面倒となるが、記録した映像に対していわゆるチャプターマークを設定して映像を区切っておき、再生時に頭出し操作やサムネイル選択操作などでチャプターの先頭にアクセスできるようにすれば、視聴時の使用性は格段に向上する。
【０００６】
そして、ディスクや磁気テープ、或いは固体メモリを用いる記録再生システムでは、従来より、記録した映像データ又は音声データについての区切りを設定する手法が各種実施されており、チャプターマーク、トラックマーク、或いはインデックスなどの各種名称で知られているように、データに適切な区切りが与えられるようにされている。
上記特許文献にも、このような区切り設定に関する技術が開示されている。
【発明の開示】
【発明が解決しようとする課題】
【０００７】
入力されたＡＶ信号をディスクに記録していく装置において、その記録中にチャプター設定（区切り設定）を行う手法としては、自動的に区切り設定を行う方式（オートチャプタリング）と、ユーザー操作に基づいて区切り設定を行う方式（マニュアルチャプタリング）がある。
マニュアルチャプタリングは、記録中にユーザーがチャプター設定操作を行ったタイミングで、区切りを設定するものである。つまりユーザーは映像信号の記録中に映像をモニタリングし、任意のタイミングでチャプター設定操作を行う。記録装置は、そのタイミングにおける映像信号上のポイントが１つのチャプターの先頭となるようにチャプターマーキング処理を行い、記録された映像データの管理情報に反映させるようにする。当然、このようにマニュアルチャプタリング設定されたディスクの再生時には、ユーザーは自分で設定したチャプター単位で見たいシーンを探していくことができる。
一方、オートチャプタリングは、ユーザー操作によらずに、記録している映像データに対して自動的にチャプターマーキングを行うものである。代表的なものとして、一定時間毎にチャプター設定を行うものがある。この場合、ユーザーは記録中に何ら操作を行わなくとも、記録される映像データは、一定時間間隔、例えば５分間隔などでチャプター分割される。このようにチャプターが設定されたディスクを再生する場合は、例えばユーザーはチャプターの頭出し操作を行うことで、５分ごとにシーンを検索していくことができる。
【０００８】
そしてマニュアルチャプタリングの場合は、ユーザーが最も適切と考える区切り設定ができるという利点があり、一方、オートチャプタリングの場合は、記録にユーザーが映像をモニタしながらチャプター設定操作を行う必要がないという利点があり、それぞれユーザーの好みや事情に応じて使い分けられればよいものである。
このため記録装置としては、マニュアルチャプタリングモードとオートチャプタリングモードを選択可能とし、ユーザーが好きなモードを選ぶことができるようにされているものが多い。
【０００９】
また従来は、一定時間毎のオートチャプタリングモードで動作している場合であっても、ユーザーがチャプター設定操作を行った場合は、それを有効な操作としてチャプター設定を行うようにしている。即ちユーザーによってチャプター設定操作が行われた映像ポイントは、そのユーザーがチャプターを区切りたいと思った映像ポイントであり、それによって一定時間毎というチャプターの区切りが崩れるとしても、それは最優先されるべき区切りポイントと考えられるためである。
【００１０】
これはユーザーの意志を常に最優先するという、機器として適切な処理ではある。
ところが、ユーザーが誤操作したとすると、不適切なポイントでチャプター設定されてしまうという不都合が生じる。
従来の記録装置の場合、チャプター設定操作のための操作キーとしては、専用のキーが配されていることが多く、ユーザーが他の操作と誤って記録中にチャプター設定操作キーを押してしまうことはあまりないと考えることができる。このため、上記のようにオートチャプタリングモード中にチャプター設定操作がなされても、それは、ユーザーの意志である可能性は高く、従ってオートチャプタリングモード中にユーザー操作によるチャプター設定を行っても、それが不適切なチャプター設定となることは少ない。
ところが、機器の設計事情やその他によって、チャプター設定操作キーを他のキーと兼用する場合があり、その場合、誤操作の可能性は高くなる。すると、ユーザーにとっては、オートチャプタリングモードで一定時間毎に区切られているはずと認識しているのに、望まない箇所で区切られてしまったといった事態が比較的多く発生することが予想される。
【００１１】
また、特にユーザーがビデオカメラで撮像した映像信号など、パーソナルな映像に関しては、チャプターの区切りとすべきポイントは、ユーザーの意志によって大きく２つに分かれる。
即ち、完全に望むとおりのポイントでチャプターを区切りたいとするユーザーは、操作が面倒であっても、マニュアルチャプタリングモードにより、記録中にチャプター設定を行うものである。
一方、操作が面倒であり、また再生映像における見たいシーンは適当に探していければよいと考えるユーザーは、オートチャプタリングモードを用いる。そして再生時には、一定時間毎にチャプターの区切りが設定されていると認識して、シーンを検索する。これを考えると、オートチャプタリングモードを用いるユーザーにとっては、一定時間毎にチャプタリングがなされるということが重要視されるものとなり、オートチャプタリングモード中のチャプター設定操作によって、一定時間毎のチャプタリングという状態が乱れることは、かえって不都合となる。
さらに、操作を面倒と思うユーザーがオートチャプタリングモードを選択すると想定すると、そのユーザーが記録中にチャプター設定操作を行う可能性は低く、従って、もしチャプター設定操作があったとしても、それは誤操作の可能性が高いと考えることができる。つまり、オートチャプタリングモード時にマニュアルチャプタリング操作を有効とすると、ユーザーの望んでいないチャプタリングとなる可能性が高い。
【課題を解決するための手段】
【００１２】
本発明はこのような事情に鑑みて、記録装置でＡＶ信号を記録する際に、ユーザーに応じた適切な区切り設定（チャプター設定）が行われるようにすることを目的とする。
【００１３】
本発明の記録装置は、ＡＶ信号を入力する入力手段と、記録媒体に信号を記録する記録手段と、少なくとも、区切り設定モードのモード選択操作、及び区切り設定操作が可能とされた操作手段と、上記入力手段から入力されてくるＡＶ信号について、上記記録手段により上記記録媒体に記録させながら、上記操作手段のモード選択操作によって選択された区切り設定モードに応じて、記録されるＡＶ信号についての区切り設定を行うことができる制御手段とを備える。そして上記制御手段は、上記区切り設定モードが第１のモードとされているときは、上記記録媒体に記録されるＡＶ信号に対して、上記操作手段による区切り設定操作に応じたタイミングで区切り設定を行う。一方、上記区切り設定モードが第２のモードとされているときは、上記記録媒体に記録されるＡＶ信号に対して一定時間毎に区切り設定を行うとともに、上記操作手段による区切り設定操作に応じた区切り設定は行わないようにする。
【００１４】
本発明の記録方法は、入力されるＡＶ信号を記録媒体に記録する記録ステップと、区切り設定モードが第１のモードとされている場合において、上記記録ステップの実行中に、上記記録媒体に記録されるＡＶ信号に対して、区切り設定操作に応じたタイミングで区切り設定を行う第１の区切り設定ステップと、区切り設定モードが第２のモードとされている場合において、上記記録ステップの実行中に、上記記録媒体に記録されるＡＶ信号に対して、一定時間毎に区切り設定を行うとともに、区切り設定操作があっても区切り設定を行なわない第２の区切り設定ステップとを備える。
【００１５】
即ち本発明は、例えばビデオカメラ等の機器で再生されて本発明の記録装置に入力されるＡＶ信号（映像信号や音声信号）に対して、記録媒体に記録しながら、区切り設定（例えばチャプター設定）を行っていくことができるが、その区切り設定のモードとしてユーザーの設定操作に応じたタイミングでチャプターを分割する第１のモード（マニュアルチャプタリングモード）と、一定時間毎にチャプターを分割する第２のモード（オートチャプタリングモード）を選択できるようにする。そして第２のモードの時は、仮にユーザーが区切り設定操作を行ったとしても、その操作は無効とし、区切り設定処理は行わない。
【発明の効果】
【００１６】
本発明によれば、入力されたＡＶ信号を記録媒体に記録している際に、その記録されるＡＶ信号の区切り設定のモードとして、ユーザーの設定操作に応じたタイミングでチャプターを分割する第１のモードと、一定時間毎にチャプターを分割する第２のモードを選択でき、第２のモードが選択されている場合は、ユーザーが区切り設定操作行ったとしても、区切り設定処理は行わないで、あくまで一定時間毎の区切り設定を保つようにしている。
従って、ユーザーが第１のモードを選択した場合は、そのユーザーの意志（設定操作）のみよる区切り設定（チャプター分割）が行われ、またユーザーが第２のモードを選択した場合は、一定時間毎のみの区切り設定（チャプター分割）が行われることになる。
このため、操作の面倒を厭わず、自分の意図するポイントでチャプタを区切りたいユーザーは第１のモードを選択すればよく、一方、操作が面倒であると考えるユーザーは第２のモードを選択すればよい。
そして、第２のモードを選択した場合は、必ず一定時間毎という区切り設定が保たれること、及び誤操作による区切りがなされないことで、第２のモードを選択したユーザーにとって記録媒体の再生時に使用性の良い区切り設定が行われることになる。特に区切り設定操作のための操作子が他の操作と兼用されている場合は、誤操作の可能性が高くなるが、第２のモードのときは、区切り設定操作が無効とされることで、誤操作による区切り設定が行われず、ユーザーによって好ましい区切り状態を実現できる。
以上のことから、特にユーザーが自身でビデオカメラで撮像したようなパーソナル映像データ等の記録に好適であり、ユーザーの要望に合致した区切り設定が実行されるものとなる。
【発明を実施するための最良の形態】
【００１７】
以下、発明を実施するための最良の形態（以下実施の形態とする）について説明していく。
図１は、実施の形態の記録装置１を含んで構成することのできる記録システムの概要を示した図である。
先ず、実施の形態の記録装置１としては、ＤＶＤ方式のリライタブルディスクやライトワンスディスク（以下これらを総称してＤＶＤメディアとも言う）についての記録再生を行うＤＶＤドライブを備えている。これらＤＶＤメディアは、図示するＤＶＤ装填部２から装填することができる。
そして、この図に示されるように、記録装置１はビデオカメラ９０等の外部映像機器と接続可能とされ、例えばこのビデオカメラ９０で再生されて入力されるＡＶ（Audio Visual）信号をＤＶＤ−ｖｉｄｅｏフォーマットに変換してＤＶＤドライブに装填されたＤＶＤメディアに記録することが可能とされる。
ビデオカメラ９０は、例えば一般ユーザーが映像撮像に用いる装置であり、例えば磁気テープ等に撮像映像信号（及び音声信号）が記録される。ビデオカメラ９０は磁気テープ等に記録された映像信号を再生し、ＮＴＳＣ方式又はＰＡＬ方式等のコンポジットビデオ信号、Ｓ−ＶＩＤＥＯ信号、或いはデジタルビデオ信号などの所定のフォーマットの映像信号（及び音声信号）を出力し、記録装置１に供給することができる。
【００１８】
この場合、ビデオカメラ９０からのＡＶ信号の記録は、当該記録装置１とビデオカメラ９０との２者のみで行うことができる。
すなわち、記録装置１の筐体外面には、後述する操作部と表示部から成るユーザインタフェース部３が設けられ、ユーザはこのユーザインターフェース部３を介した操作入力を行うことによって記録装置１に対する記録動作の開始や停止等の動作指示を行うことができる。また、ユーザインターフェース部３に設けられた表示部により記録装置１の動作状態を確認するといったことも可能とされている。
そしてこのように記録装置１とビデオカメラ９０を接続してシステム利用できることで、本例の記録装置１は、例えばユーザーがビデオカメラ９０を用いて撮像を行い、テープメディアに記録したパーソナル映像を、簡易にＤＶＤメディアにダビング記録できる装置として提供されることになる。
【００１９】
また、これら記録装置１とビデオカメラ９０との２者による動作以外にも、図示するパーソナルコンピュータ９１を含めて、該パーソナルコンピュータ９１側のユーザインタフェースを利用しての記録動作を行うこともできる。
つまりこの場合は、パーソナルコンピュータ９１側に対して、予め記録装置１とビデオカメラ９０との間での記録動作に係るアプリケーションをインストールしておくようにされる。そしてユーザは、ビデオカメラ９０・記録装置１・パーソナルコンピュータ９１の３者が接続され、且つこのアプリケーションが起動された状態で、パーソナルコンピュータ９１の操作部を介した操作入力を行って、記録装置１に対する記録動作の開始／終了等の動作指示を行うことができる。さらには、パーソナルコンピュータ９１側の画面上にビデオカメラ９０から再生されるデータを表示させ、その画面を参照しながら編集作業を行うといったこと等も可能とされる。
【００２０】
また、記録装置１としては、パーソナルコンピュータ９１の外付けのドライブ装置としても機能することが可能とされる。
つまり、記録装置１としては、接続されたパーソナルコンピュータ９１側からの指示に応じて、該パーソナルコンピュータ９１側から転送されるデータを装填されたＤＶＤメディアに対して記録したり、装填されたＤＶＤメディアからデータを再生してこれをパーソナルコンピュータ９１側に転送するといった動作も行うようにされる。
【００２１】
本実施の形態としては、このような記録システムにおいて、特に記録装置１とビデオカメラ９０との２者間のみで行われる記録動作に関して述べる。
【００２２】
図２は、実施の形態の記録装置１の内部構成についてのブロック図を示している。
先ず、コントローラ１７は、ＣＰＵ（Central Processing Unit）、ＲＯＭ（Read Only Memory）、ＲＡＭ（Randam Access Memory）等を備えたマイクロコンピュータによって構成され、起動されたプログラムに基づいて記録装置１の全体制御を行う。
なお、コントローラ１７は、図示する内部バス２７を介して各部との間で制御信号やデータのやりとりを行う。
【００２３】
このコントローラ１７は操作部１８による操作入力を監視し、操作入力に応じて所要の処理を行う。
操作部１８は、先に図１において述べたユーザインターフェース部３内として記録装置１に備えられる操作キー等による入力デバイスであって、ユーザが各種操作入力やデータ入力を行う。操作部１８で入力された情報はコントローラ１７に対して操作又はデータの入力として伝達される。コントローラ１７は入力された情報に対応して必要な演算や制御を行う。
【００２４】
また、コントローラ１７は、同じくユーザーインターフェース部３において設けられる表示部１９の表示制御を行う。
表示部１９は、例えば液晶パネル等の表示デバイスを備えて、ユーザに対して各種情報表示を行う。例えば、コントローラ１７が各種動作状態や入力状態、通信状態に応じて表示データを表示部１９に供給すると、表示部１９は供給された表示データに基づいた情報表示を行う。
【００２５】
そして、記録装置１に対しては、ＡＶ信号の入力系として、図示するようにアナログオーディオ入力端子１０、アナログビデオ入力端子１１、デジタル入力端子１２を備えている。
アナログオーディオ入力端子１０に入力されたアナログオーディオ信号は、オーディオＡＤコンバータ１３にてデジタルオーディオ信号に変換され、ＤＶＤエンコーダ１６に入力される。また、アナログビデオ入力端子１１にて入力されたＮＴＳＣ方式、或いはＰＡＬ方式によるアナログビデオ信号は、ＮＴＳＣ／ＰＡＬデコーダ１４にて然るべき方式によるデジタルビデオ信号にデコードされた後、ＤＶＤエンコーダ１６に入力される。
また、デジタル入力端子１２を介しては、デジタルＡＶストリームデータが入力される。この場合、ＡＶストリームデータについてのインタフェースとしては、ＩＥＥＥ１３９４インタフェースが採用され、デジタル入力端子１２に入力されたＡＶストリームデータは１３９４インタフェース１５を介してＤＶＤエンコーダ１６に入力される。
【００２６】
ＤＶＤエンコーダ１６は、上記したオーディオＡＤコンバータ１３とＮＴＳＣ／ＰＡＬデコーダ１４とから供給されるデジタルビデオデータ・デジタルオーディオデータ、及び１３９４インターフェース１５から供給されるＡＶストリームデータについて、ＭＰＥＧ方式による圧縮処理を施すと共に、これにより得られたデータに対して所要のエンコード処理を行うことでＤＶＤ−ｖｉｄｅｏフォーマットによるデジタルＡＶデータを得る。
また、この場合のＤＶＤエンコーダ１６では、コントローラ１７からの指示に基づき、生成されたＡＶデータについてのタイトル分け、及びチャプタリング等のＤＶＤオーサリング処理も行うようにされる。
さらには、生成されたＡＶデータについての誤り訂正符号付加処理やランレングスリミテッドコードへの変換等の各種エンコード処理も行うものとされる。
ＳＤＲＡＭ１７は、これらＤＶＤエンコーダ１６にて行われるエンコード処理のためのデータのバッファリングやワーク領域として利用される。
【００２７】
ＤＶＤドライブ２０は、光学ヘッド、スピンドルモータ、記録再生信号処理部、サーボ回路等を備え、装填されたＤＶＤメディアに対しての記録再生を行う。
記録時には、バス２７を介して記録データがＤＶＤエンコーダ１６から供給され、これを記録するようにされる。
再生時には、コントローラ１７の指示に基づいてＤＶＤメディアに記録されたデータを再生し、これをバス２７に送出する。
【００２８】
ＤＶＤデコーダ２１は、例えば接続されたパーソナルコンピュータ９１において再生データをモニタリングするためのデコーダであり、ＤＶＤドライブ２０でＤＶＤメディアから再生されたＤＶＤフォーマットの再生データのデコード処理や、ＭＰＥＧデコード処理等を行ってデジタルビデオデータとデジタルオーディオデータとを得る。
フラッシュメモリ２２とＳＤＲＡＭ２３とは、このようなＤＶＤデコーダ２１によるデコード処理に利用される。
【００２９】
ＵＳＢコントローラ２４は、ＵＳＢインタフェース２５を介して接続された外部機器、特に図１に示したパーソナルコンピュータ９１との間で各種のデータ通信を行うために備えられる。
このＵＳＢコントローラ２４は、コントローラ１７の制御に基づいて送信データのエンコード処理、受信データのデコード処理を行う。
ＵＳＢインタフェース２５は、ＵＳＢコントローラ２４でエンコードされた送信データを、ＵＳＢケーブルを介して外部機器に送信する。またＵＳＢケーブルを介して外部機器から送信されてきた信号をＵＳＢコントローラ２４に受け渡す。
ＵＳＢコントローラ２４は受信した情報をコントローラ１７に転送する。
例えば、ＤＶＤドライブ２０からの再生時においては、ＤＶＤデコーダ２１にて得られた上記ジタルビデオデータとデジタルオーディオデータとがＵＳＢコントローラ２４に供給される。そして、これらのデータがＵＳＢインタフェース２５からＵＳＢケーブルを介して外部の例えばパーソナルコンピュータ９１側に転送される。
これによりパーソナルコンピュータ９１側の画面上に、記録装置１にて再生されるデータを表示したりオーディオ出力を行うことができる。
【００３０】
図３には、記録装置１が備えるユーザインターフェース部３の具体的な構成例を示している。
図示するように、ユーザインターフェース部３としては、先の図２にて説明した操作部１８を形成する各種の操作キーと、表示部１９とから成るようにされている。
【００３１】
ここで、先ずはユーザインターフェース部３を形成する表示部１９にて表示可能な内容について、次の図４を参照して説明しておく。
図４において、この場合の表示部１９においては、図示するように入力選択表示部４１、シンクロナイズド記録モード表示部４２、ビデオ入力状態表示部４３、記録モード表示部４４、ステータス／ワーニング表示部４５、時間表示部４６が形成されている。
入力選択表示部４１は、ビデオ信号の入力の選択状態を示す情報を表示する領域とされる。つまり、記録装置１に対し、例えばアナログビデオ入力端子１１として設けられているライン映像端子からのビデオ信号（コンポジットビデオ信号）の入力が選択されている場合は、該入力選択表示部４１においては「ＶＩＤＥＯ」の表示が行われる。
また同じくアナログビデオ入力端子１１としてのＳ−ＶＩＤＥＯ端子が設けられ、いわゆるＳ−ＶＩＤＥＯとしてのビデオ信号（Ｙ／Ｃ信号）の入力が選択されている場合は、該入力選択表示部４１においては「Ｓ−ＶＩＤＥＯ」の表示が行われる。
また、デジタル入力端子１２からのデジタルＡＶストリームデータの入力が選択されている場合に対応しては、「ＤＶ」の表示が行われる。
【００３２】
シンクロナイズド記録モード表示部４２は、シンクロナイズド記録モードの設定の有無を示す情報を表示する領域とされる。
ここで、実施の形態の記録装置１においては、１３９４インターフェース１５を介してビデオカメラ９０が接続される場合に、記録装置１に対するＲＥＣ操作に連動してビデオカメラ９０の再生を開始させたり、また、記録装置１に対するＲＥＣの停止操作に連動してビデオカメラ９０の再生を停止させるといったシンクロナイズド記録を行うことが可能とされている。
このシンクロナイズド記録モードがオンに設定される場合は、シンクロナイズド記録モード表示部４２にて「ＳＹＮＣ」が表示される。
【００３３】
ビデオ入力状態表示部４３は、記録装置１において外部からの入力信号が検出される場合に図示されるように「ＳＩＧ」の表示が行われる。また、外部からの入力信号が喪失した場合はこの「ＳＩＧ」が表示されないものとなる。
また、記録モード表示部４４は、記録モード（記録ビットレート）の設定状態を表示する。この場合は、記録ビットレートが高い順にハイクオリティ（ＨＱ）、スタンダード（ＳＰ）、ロング（ＳＬＰ）の記録モードが用意されている。例えば、ここでは設定された記録モードの名称のみを表示することで設定状態を表すものとしている。
【００３４】
ステータス／ワーニング表示部４５は、記録装置１の動作状態やユーザに対する警告メッセージ等の表示が行われる領域として設けられる。
また、時間表示部４６は、記録再生についての時間情報が表示される。例えばこの場合は、図のように時（Ｈ）分（Ｍ）秒（Ｓ）までの表示を行う例が示されている。表示される時間情報の内容としては、記録や再生の経過時間、残時間などである。
なお、この図に示される例では、時間表示部４６の領域が、ステータス／ワーニング表示部４５としての内容を表示可能な領域として割り当てられる場合が示されているが、それぞれの領域はそれぞれの表示内容のみを表示するものとしてもよい。
【００３５】
続いて、図３に戻り、操作部１８を形成する各種の操作キーについて説明する。
この場合、操作キーとしては、図示するようにＴＩＭＥキー３１、ＳＹＮＣキー３２、ＲＥＣ−ＭＯＤＥキー３３、ＩＮＰＵＴ−ＳＥＬＥＣＴキー３４、ＦＵＮＣＴＩＯＮキー３５、ＳＥＬＥＣＴキー３６、ＲＥＣキー３７、ＰＡＵＳＥキー３８、ＳＴＯＰキー３９が設けられている。
【００３６】
先ず、ＴＩＭＥキー３１は、先の図４に示した時間表示部４６における表示内容を切り替えるために設けられる。例えばこの場合、ＴＩＭＥキー３１の押圧操作ごとに時間表示部４６における表示内容が経過時間／残り時間の表示に切り替えられる。
また、ＳＹＮＣキー３２は、先に説明したシンクロナイズド記録のオン／オフを切り替えるために設けられる。
また、ＲＥＣ−ＭＯＤＥキー３３は、先に説明した「ＨＱ」「ＳＰ」「ＳＬＰ」の各記録モードを選択するために設けられ、例えばその押圧ごとに「ＨＱ」「ＳＰ」「ＳＬＰ」の選択状態を切り替えることができる。
【００３７】
ＩＮＰＵＴ−ＳＥＬＥＣＴキー３４は、外部信号入力を行う入力端子を選択するために設けられる。例えばライン入力、Ｓ−ＶＩＥＯ入力、デジタル入力の切り替えを行うことができる。
また、ＦＵＮＣＴＩＯＮキー３５は、「ファイナライズ」「オールイレーズ」「オートプレイ」「オートチャプタリング」「ブックタイプ」などの各機能の設定を行うために設けられる。このＦＵＮＣＴＩＯＮキー３５の押圧ごとに、表示部１９におけるステータス／ワーニング表示部４５上にはこれらの各機能の名称や「ｙｅｓ／ｎｏ」を選択するための表示が行われる。
そして、このように機能の名称と共に表示される「ｙｅｓ／ｎｏ」や機能内容の選択は、図示するＳＥＬＥＣＴキー３６により行うことができる。すなわちユーザは、ＦＵＮＣＴＩＯＮキー３５により機能を選択した上で、ＳＥＬＥＣＴキー３６によって所望の機能の実行を記録装置１に対して指示することができる。
【００３８】
また、ＲＥＣキー３７は、記録動作を指示するためのキーである。
ＰＡＵＳＥキー３８は、記録・再生動作の一時停止を指示するためのキーである。
また、ＳＴＯＰキー３９は、記録・再生動作の停止を指示するキーである。
インジケータ４０は、記録装置１のパワー状態や装填されたディスクへのアクセス状態を示すインジケータとして機能する。
【００３９】
ところで本例の場合、ＤＶＤメディアへの記録動作中に、その記録データをチャプターに分割して区切りを設定することができるが、そのためのモードとしてマニュアルチャプタリングモードとオートチャプタリングモードが設けられている。
マニュアルチャプタリングモードは、記録動作中にユーザーが指示したタイミングでチャプターの区切りを行うようにするものである。
オートチャプタリングモードは、記録動作中に一定時間間隔でチャプターの区切りを行うものである。
なお、オートチャプタリングとしての一定時間は、例えば５分、１０分、１５分などが選択できるようにされている。
従って、チャプタリングモードとしては、オートチャプタリングとして５分、１０分、１５分の３つを選択でき、またオートチャプタリングをオフとすることで、マニュアルチャプタリングモードが選択できることになる。
【００４０】
このチャプタリングのモード設定のための操作は上記ＦＵＮＣＴＩＯＮキー３５とＳＥＬＥＣＴキー３６が用いられる。
即ち、ＦＵＮＣＴＩＯＮキー３５を操作して表示部１９のステータス／ワーニング表示部４５に「Ａｕｔｏ  Ｃｈｐ．」即ちオートチャプタリング機能を表示させた場合、同時にデフォルト或いは現在のチャプタリングモードの内容が表示される。
例えば図５（ａ）のように「５  ｍｉｎｕｔｅｓ」と表示される。
この状態からＳＥＬＥＣＴキー３６を押していくと、図５（ｂ）の「１０  ｍｉｎｕｔｅｓ」、図５（ｃ）の「１５  ｍｉｎｕｔｅｓ」、図１５（ｄ）の「Ｎｏｎｅ」・・・と順次表示が切り換えられる。
つまりユーザーはオートチャプタリング「Ａｕｔｏ  Ｃｈｐ．」において、「５  ｍｉｎｕｔｅｓ」「１０  ｍｉｎｕｔｅｓ」「１５  ｍｉｎｕｔｅｓ」「Ｎｏｎｅ」のいずれかを選択する。例えば図５（ｂ）の「１０  ｍｉｎｕｔｅｓ」が表示された状態でＦＵＮＣＴＩＯＮキー３５を押せば、１０分間隔のオートチャプタリングモードが選択された状態となる。
また図５（ｄ）の「Ｎｏｎｅ」が表示された状態でＦＵＮＣＴＩＯＮキー３５を押せば、オートチャプタリングモードがオフ、即ちマニュアルチャプタリングモードが選択された状態となる。
【００４１】
マニュアルチャプタリングモードは、上記のように記録動作中にユーザーが指示したタイミングでチャプターの区切りを行うようにするものであるが、その区切り設定操作にはＲＥＣキー３７が用いられる。つまりＲＥＣキーは記録動作の開始のためのキーと、記録中のチャプター区切り設定のためのキーとして兼用されている。
【００４２】
コントローラ１７は、このように操作部１８の操作に応じてオートチャプタリングモード／マニュアルチャプタリングモードを設定する。またオートチャプタリングモードとしては、例えばチャプター設定を行う時間を設定する。
そしてコントローラ１７は、入力されたＡＶ信号をＤＶＤエンコーダ１６で処理し、ＡＶストリームデータとしてＤＶＤドライブ２０に供給してＤＶＤメディアに記録していく際には、選択されたモードに応じてチャプター設定を行う。
【００４３】
例えば５分間隔のオートチャプタリングモードが選択されている場合は、コントローラ１７は、ＤＶＤメディアに記録されるＡＶストリームデータが、５分間隔でチャプターが区切られることになるように、５分毎にチャプターマーク設定を行い、これをＤＶＤメディアに記録する管理情報に反映させる。そして所定のタイミングで該管理情報をＤＶＤメディアに記録させる。
従ってＤＶＤメディアに記録されたＡＶストリームデータは、１つのチャプターの再生時間が５分となる状態で管理される。その場合、そのＤＶＤメディアを或る再生装置で再生するときには、チャプターの頭出し操作などで、５分おきに見たい映像をサーチしていくことができる。
１０分間隔或いは１５分間隔のオートチャプタリングモードが選択されている場合も同様であり、コントローラ１５は１つのチャプターが１０分或いは１５分となる管理状態とする。
またマニュアルチャプタリングモードが選択されている場合は、コントローラ１７は、記録中にユーザーがＲＥＣキー３７を押したタイミングでの映像ポイントでチャプターが区切られることになるように、ＤＶＤメディアに記録する管理情報を設定し、所定のタイミングで該管理情報をＤＶＤメディアに記録させる。
【００４４】
ここで記録動作中にＲＥＣキー３７が押された場合のコントローラ１７の処理を図６のフローチャートで説明する。
ステップＦ１００の記録シーケンスは、ＲＥＣキー３７が操作されて記録が開始された後の記録中の通常の各種制御を示している。即ち入力されるＡＶ信号についてＤＶＤエンコーダ１６で処理させた後、ＤＶＤドライブ２０に供給してＤＶＤメディアに記録される動作に関する制御を示している。
このステップＦ１００として記録シーケンスが実行されている期間において、操作部１８におけるＲＥＣキー３７が押圧されたことを検出したら、コントローラ１７はステップＦ１０１からＦ１０２に進み、その時点でマニュアルチャプタリングモードに設定されているか否かを判別する。
そしてマニュアルチャプタリングモードであったら、ステップＦ１０３に進み、過去５分以内にチャプターマーク設定したか否かを判別する。
過去５分以内にチャプターマーク設定をしていなければ、ステップＦ１０４に進んで、表示部１９のステータス／ワーニング表示部４５に「Ｃｈｐ  ｉｎ」の表示を実行させ、続いてステップＦ１０５でチャプターマーク設定を行う。即ち、その時点の入力ＡＶ信号上のポイントでチャプターが区切られるように、管理情報上にチャプターマークを与える。
【００４５】
なお、上記ステップＦ１０３の処理は、マニュアルチャプタリングモードであっても、１つのチャプターは５分以上とする制限を与えるものであり、この処理を採用するか否かは任意である。例えば１つのチャプターが５分以内とされることを可能としても良いし、或いはより長い時間を１つのチャプターの最低時間として制限しても良い。
【００４６】
このようにマニュアルチャプタリングモードとされている場合は、以上のようにＲＥＣキー３７が押圧されることによってチャプターマーク設定が行われる。
ところが、オートチャプタリングモードとされている場合は、ステップＦ１０１でＲＥＣキー３７の押圧が検出されても、ステップＦ１０２で否定結果となるため、ステップＦ１０５には進まない。つまり、オートチャプタリングモードの場合は、記録動作中のＲＥＣキー３７の操作は無効とされ、チャプターマーク設定は行われない。
オートチャプタリングモードの場合は、ステップＦ１００の記録シーケンスのなかで、例えば５分間隔など選択された時間間隔でチャプターマーク設定が行われており、それ以外、つまりユーザーの操作に基づくチャプターマーク設定は行われないものとなる。
【００４７】
コントローラ１７がこのようにチャプタリングモードに応じて、記録中のＲＥＣキー３７の操作に対する扱いを行うことで、入力されたＡＶ信号をＤＶＤメディアに記録している際に、ユーザーがマニュアルチャプタリングモードを選択していた場合は、そのユーザーの意志（ＲＥＣキー３７によるチャプター設定操作）により、そのユーザーの望むようなポイントでのチャプター分割が行われ、一方、ユーザーがオートチャプタリングモードを選択していた場合は、あくまで一定時間毎のチャプターの区切り設定が保たれるものとなる。
従って、映像をモニタリングしながらチャプタリングを行うという操作を厭わないユーザーであれば、自分の意図するポイントでチャプタを区切ることができる。
一方、操作が面倒であると考えるユーザーはオートチャプタリングモードを選択すればよいが、その場合、必ず一定時間毎にチャプター設定が行われる。この場合、必ず一定時間毎にチャプター設定がなされるということは、ＤＶＤメディアの再生時に使用性の良いチャプター設定が行われるものとなる。再生時にはあくまで一定時間毎にチャプターが区切られていると考えながら見たい箇所をサーチできるためである。
また、オートチャプタリングモードの場合にチャプター設定操作が無効とされることは、誤操作によりチャプターマーク設定がおこなわれてしまうことを防止できることにもなる。そしてこれは上記の一定時間というチャプターの区切りを誤操作によって乱さないということにもなる。さらに、本例のようにＲＥＣキー３７がマニュアル操作としてのチャプター区切り設定に兼用されていることは、誤操作を生じやすいものとなるが、その誤操作をチャプターに反映させないということで適切なものとなる。
【００４８】
なお、誤操作の点では、マニュアルチャプタリングモードの場合も発生する可能性はある。ところがマニュアルチャプタリングモードを選択するユーザーは、ＡＶ機器やパーソナルコンピュータ等に対して理解が深く、またパーソナル映像等を緻密に管理を行うタイプのユーザーであると考えられる。このようなタイプのユーザーは、誤操作のおそれは少なく、またパーソナルコンピュータのアプリケーションを利用してＤＶＤメディアに記録したデータを編集することなども行うことが想定される。つまりあまり誤操作を考慮しなくても良いユーザー層である。
一方、オートチャプタリングモードを選択するユーザーとしては、とりあえずパーソナル映像をＤＶＤメディアにダビングできればよく、しかもそのための操作はなるべく簡易な方が良いと考えるユーザー層が想定される。そのようなユーザーにとっては、一定時間毎にチャプター設定されることが再生時の使用性向上に有効であり、誤操作の場合は当然ながら、誤操作ではなくユーザーが気まぐれに或るポイントでのチャプター設定を望んで操作したとしても、それによるチャプター設定が行われない方が、結果的に再生時の使用性がよいということがある。
つまり、本例の場合、ユーザーに応じてマニュアルチャプタリングモードとオートチャプタリングモードが切り分けられることになり、これによって、ユーザーに応じた好ましいチャプター設定を実現できるものである。
【００４９】
なお、実施の形態の記録装置１では、記録媒体としてＤＶＤメディアを用いる例を示したが、もちろんブルーレイディスク、ＨＤ−ＤＶＤ、ハードディスク、固体メモリメディアなど、他の種の記録媒体を用いる記録装置としても本発明は適用できる。
また、装置内の各部の構成、ユーザーインターフェース部における操作キーや表示内容の種類など、多様な例が考えられる。
【図面の簡単な説明】
【００５０】
【図１】本発明の実施の形態の記録装置を用いたシステム接続の説明図である。
【図２】実施の形態の記録装置のブロック図である。
【図３】実施の形態の記録装置のユーザーインターフェース部の説明図である。
【図４】実施の形態の記録装置の表示部の説明図である。
【図５】実施の形態のモード操作時の表示状態の説明図である。
【図６】実施の形態の区切り設定操作に対応する処理のフローチャートである。
【符号の説明】
【００５１】
１  記録装置、３  ユーザーインターフェース部、１６  ＤＶＤエンコーダ、１７  コントローラ、１８  操作部、１９  表示部、２０  ＤＶＤドライブ、２１  ＤＶＤデコーダ、２４  ＵＳＢコントローラ、３７  ＲＥＣキー
【図１】
2006107676.tif 000003
【図２】
2006107676.tif 000004
【図３】
2006107676.tif 000005
【図４】
2006107676.tif 000006
【図５】
2006107676.tif 000007
【図６】
2006107676.tif 000008